(57)【要約】      （修正有）【課題】キックボードの横ポールが不意な状況で軸回転動作を発生することを回避することができ、好適な騎乗安全性及び折り畳み定位効果を達成する安全折り畳み機構を提供する。【解決手段】安全折り畳み機構は、軸回転接合ソケットと、軸回転接合片体と、ピンと、を含む。軸回転接合ソケット及び軸回転接合片体の間は、軸耳部及び挟持耳部を介して軸回転可能に接合させる。軸耳部は、２つの嵌合孔及び嵌合溝を有し、軸回転接合片体は、載置孔を有し、載置孔中に弾性体及びピンを有し、弾性体は、ピンを押し上げ、嵌合孔中に嵌合させる。軸回転接合片体外周は、固定部材を被せ設け、固定部材がピンを嵌合孔に嵌合する時、軸回転接合片体外周に締結され、同時に嵌合溝に係止され、軸回転接合片体が軸回転接合ソケットに対して相対した回転動作を発生できないように制限する。【選択図】図１
0003158161.tif 000002
【実用新案登録請求の範囲】
【請求項１】
軸回転接合ソケットと、軸回転接合片体と、ピンと、弾性体と、レバーと、固定部材と、固定接合部材と、を含み、
該軸回転接合ソケットは、その一端部に軸耳部を設け、該軸耳部は、展開嵌合孔と、折り畳み嵌合孔と、嵌合溝と、軸孔と、を含み、該展開嵌合孔の中心軸線及び該折り畳み嵌合孔の中心軸線が挟み角を形成し、該嵌合溝が該展開嵌合孔及び折り畳み嵌合孔の間に位置し、
該軸回転接合片体は、その一端部に載置孔と２つの挟持耳部を設け、該２つの挟持耳部は、軸回転可能な方式で該軸耳部に接合し、該挟持耳部は、軸孔を有し、該軸回転接合片体の外周面に長溝孔を設け、該長溝孔は、貫通して該載置孔に連通し、
該ピンは、該載置孔中に設置され、該ピンは、該軸回転接合片体を経由して該軸回転接合ソケットの軸回転動作に対応し、該展開嵌合孔又は折り畳み嵌合孔に嵌合することができ、
該弾性体は、該載置孔中に設置され、且つ該弾性体は、該載置孔内部底面及び該ピンの間に位置し、
該レバーは、該ピン上に設置され、該レバーのうちの一端は、該長溝孔を経由して該ピン接合片体外周面に突出し、
該固定部材は、環部を有し、該環部は、切り口を設け、該切り口箇所に締結部材を設け、該環部は、該軸回転接合ソケット外表面に被せ、且つ該嵌合溝に滑動可能に係止し、
該固定接合部材は、該軸回転接合ソケットの軸孔及び該軸回転接合片体の軸孔に穿合する、安全折り畳み機構。
【請求項２】
前記２つの挟持耳部の少なくとも１つの辺縁は、該嵌合溝の少なくとも１つの辺縁に対応する請求項１に記載の安全折り畳み機構。
【請求項３】
前記軸回転接合片体の外周面は、更に長溝孔を設け、該長溝孔は、該載置孔と貫通し、且つ該レバーの他端は、該長溝孔を経由して該軸回転接合片体外表面に突出する請求項１又は２に記載の安全折り畳み機構。
【請求項４】
前記環部の切り口両端は、外向きに耳部を延伸し、該締結部材は、該２つの耳部の間に設置される請求項１又は２に記載の安全折り畳み機構。
【請求項５】
前記締結部材は、軸桿を共同で該２つの耳部上に穿合し、該軸桿の一端にねじ山を螺合し、他端は、軸回転柄を軸回転可能に設け、該軸回転柄及び該軸桿が軸回転可能に接合する該端に大径部及び小径部を形成する請求項１又は２に記載の安全折り畳み機構。
【請求項６】
前記挟み角は、７０〜１００度の範囲に介在する請求項１又は２に記載の安全折り畳み機構。
【請求項７】
前記弾性体は、ばねである請求項１又は２に記載の安全折り畳み機構。
【考案の詳細な説明】
【技術分野】
【０００１】
本考案は、キックボードに用いる安全折り畳み機構に関し、特に、キックスクーターの車体を折り畳み可能にし、収納又は携帯に便利な安全折り畳み機構に関する。
【背景技術】
【０００２】
従来のキックボード（キックスクーター）の折り畳み構造は、中華民国公告第Ｍ２５１７７６号「折り畳み構造」特許に示されるように、キックスクーターの車体構造体の折り畳み箇所にそれぞれ軸耳部及び挟持耳部を設置し、該挟持耳部は、該軸耳部両側に挟み設けられ、回転軸を利用し、該軸耳部及び挟持耳部を穿合し、該軸耳部及び挟持耳部両端の構造体に該回転軸を回転の中心として利用させ、角度を折り畳む形状変化を行なわせることができる。
【０００３】
従来の構造の軸耳部及び挟持耳部は、相対する所定位置にそれぞれ嵌合孔及びソケットを設け、該ソケット内に順に弾性体及びピンを設置し、該弾性体を利用し、該ピンを軸耳部の方向に押し上げ、該ピンの一端を該嵌合孔中に嵌合する。また、ソケットを設けた該構造体の外表面に該ソケットまで貫通する長溝孔を設け、該長溝孔は、トグルを穿合させ、且つ該トグルは、同時に該ピンを連結する。これにより、該トグルを推し動かし、該長溝孔中で移動させる時、同時に該ピンを連動し、該ソケット中で移動させ、該ピン一端と嵌合孔の嵌合又は脱離状態を制御する。
【考案の概要】
【考案が解決しようとする課題】
【０００４】
しかしながら、従来の構造は、該弾性体の弾力により該ピンを押し上げ、それを該嵌合孔中に嵌合させ、該キックスクーターを構造体の間の連結定位作用を提供するが、弾性体は、長期使用下で弾性力の欠乏を生じ、該弾性体が該ピンを押し上げる弾力を小さくし、該弾性体に該ピンを該嵌合孔の所定位置まで確実に押し上げることができなくさせ、該キックスクーター構造体が連結使用の状態で緩みを生じ、更には、該ピンが該嵌合孔から脱離し、使用者の騎乗過程にキックスクーターが不意に折り畳まれ、危険が発生する。
【０００５】
更に、従来の構造の軸耳部は、もう１つの嵌合孔を設け、該ピンを構造体が折り畳まれた状態で該嵌合孔中に嵌合させ、該構造体を折り畳み後の形態に固定する。しかしながら、従来の構造は、図５に示すように、該ピンの行程は、該もう１つの嵌合孔中に円滑に嵌合することができ、該構造体を折り畳み後に所定の定位効果を達成することができ、収納又は携帯の不便をもたらす。
【課題を解決するための手段】
【０００６】
本考案の目的は、軸回転接合ソケットと、軸回転接合片体と、ピンと、弾性体と、レバーと、固定部材と、固定接合部材と、を含み、
該軸回転接合ソケットは、その一端部に軸耳部を設け、該軸耳部は、展開嵌合孔と、折り畳み嵌合孔と、嵌合溝と、軸孔と、を含み、該展開嵌合孔の中心軸線及び該折り畳み嵌合孔の中心軸線が挟み角を形成し、該嵌合溝が該展開嵌合孔及び折り畳み嵌合孔の間に位置し、
該軸回転接合片体は、その一端部に載置孔と２つの挟持耳部を設け、該２つの挟持耳部は、軸回転可能な方式で該軸耳部に接合し、該挟持耳部は、軸孔を有し、該軸回転接合片体の外表面に長溝孔を設け、該長溝孔は、貫通して該載置孔に連通し、
該ピンは、該載置孔中に設置され、該ピンは、該軸回転接合片体を経由して該軸回転接合ソケットの軸回転動作に対応し、該展開嵌合孔又は折り畳み嵌合孔に嵌合することができ、
該弾性体は、該載置孔中に設置され、且つ該弾性体は、該載置孔内部底面及び該ピンの間に位置し、
該レバーは、該ピン上に設置され、該レバーのうちの一端は、該長溝孔を経由して該ピン接合片体外周面に突出し、
該固定部材は、環部を有し、該環部は、切り口を設け、該切り口箇所に締結部材を設け、該環部は、該軸回転接合ソケット外表面に被せ、且つ該嵌合溝に滑動可能に係止し、
該固定接合部材は、該軸回転接合ソケットの軸孔及び該軸回転接合片体の軸孔に穿合するキックボードの折り畳み機構を提供することである。
【考案の効果】
【０００７】
上記の構造により、本考案の安全折り畳み機構は、キックボードの横ポールが不意な状況で軸回転動作を発生することを回避することができ、好適な騎乗安全性及び折り畳み定位効果を達成する。
【図面の簡単な説明】
【０００８】
【図１】本考案をキックボードに運用した立体図である。
【図２】本考案の分解図である。
【図３】本考案の組み合わせ俯瞰断面図である。
【図４】本考案の固定部材にきつく締めた状態を呈させる操作の動作説明図である。
【図５】本考案の固定部材に緩んだ状態を呈させる操作の動作説明図である。
【図６】本考案の組み合わせ側面断面図である。
【図７】本考案の第１折り畳み動作説明図である。
【図８】本考案の第２折り畳み動作説明図である。
【考案を実施するための形態】
【０００９】
当業者に本考案の目的を理解させる為、図面に併せて本考案の実施例を挙げ以下に詳細に説明する。
【００１０】
図１に示すように、本考案の安全折り畳み機構（１）と結合するキックボード２は、ポール２１と、２つの横ポール２２と、を含み、
ポール２１は、その一端に把手２３を設け、該把手２３は、使用者に握らせることができ、多端は、前輪２４を設け、
２つの横ポール２２は、その一端は、該ポール２１と連結し、他端は、それぞれ踏み板２５と後輪２６を設ける。
【００１１】
該２つのポール２２は、何れも本考案の安全折り畳み機構１を設け、該２つのポール２２を折り畳み可能にし、収納又は携帯に便利にする。
【００１２】
図２に示すように、本考案の安全折り畳み機構１は、軸回転接合ソケット１１と、軸回転接合片体１２と、ピン１３と、弾性体１４と、レバー１５と、固定部材１６と、固定接合部材１７と、を含み、
軸回転接合ソケット１１は、その一端部に軸耳部１１１を設け、該軸耳部１１１は、展開嵌合孔１１３と、折り畳み嵌合孔１１４と、嵌合溝１１５と、軸孔１１２と、を含み、該展開嵌合孔１１３の中心軸線及び該折り畳み嵌合孔１１４の中心軸線が挟み角を形成し、該嵌合溝１１５が該展開嵌合孔１１３及び折り畳み嵌合孔１１４の間に位置し、
該軸回転接合片体１２は、その一端部に載置孔１２３と２つの挟持耳部１２１を設け、該２つの挟持耳部１２１は、軸回転可能な方式で該軸耳部１１１に接合し、該挟持耳部１２１は、軸孔１２２を有し、該軸回転接合片体１２の外表面に長溝孔１２４を設け、該長溝孔１２４は、貫通して該載置孔１２３に連通し、
該ピン１３は、該載置孔１２３中に設置され、該ピン１３は、該軸回転接合片体１２を経由して該軸回転接合ソケット１１の軸回転動作に対応し、該展開嵌合孔１１３又は折り畳み嵌合孔１１４に嵌合することができ、
該弾性体１４は、該載置孔１２３中に設置され、且つ該弾性体１４は、該載置孔１２３内部底面及び該ピン１３の間に位置し、
該レバー１５は、該ピン１３上に設置され、該レバー１５のうちの一端は、該長溝孔１２４を経由して該ピン接合片体１２外周面に突出し、
該固定部材１６は、環部１６１を有し、該環部１６１は、切り口１６２を設け、該切り口１６２箇所に締結部材を設け、該環部１６１は、該軸回転接合ソケット１２外表面に被せ、且つ該嵌合溝１１５に滑動可能に係止し、
該固定接合部材１７は、該軸回転接合ソケッ１１トの軸孔１１２及び該軸回転接合片体１２の軸孔１２２に穿合する。
【００１３】
そのうち、該軸回転接合ソケット１１は、該ポール２１及び該横ポール２２の連結箇所に設けられることができ、該軸回転接合片体１２は、該横ポール２２の一端に設けられ、該安全折り畳み機構１を介して該横ポール２２に該ポール２１に相対して回転動作を持たせる。注意すべきことは、該軸回転接合ソケット１１及び該軸回転接合片体１２は、その設置位置を交換することもでき、同様に該横ポール２２及び該ポール２１の間に相対軸回転動作の効果を有することができる。
【００１４】
該安全折り畳み機構１の軸回転接合ソケット１１の一端は、該ポール２１と接続し、他端は、軸耳部１１１を設け、該展開嵌合孔１１３から該軸孔１１２までの距離は、該折り畳み嵌合孔１１４から該軸孔１１２までの距離に相当し、且つ該展開嵌合孔１１３の中心軸線及び該折り畳み嵌合孔１１４の中心軸線の挟み角は、７０度から１１０度までの範囲に介在することが好ましい。該軸耳部１１１外表面は、嵌合溝１１５を設け、且つ該嵌合溝１１５は、該展開嵌合孔１１３及び折り畳み嵌合孔１１４の間に設けられることが好ましい。
【００１５】
該軸回転接合片体１２の一端は、該横ポール２２端部に固定され、他端は、相互に平行な２つの挟持耳部１２１を設け、該２つの挟持耳部１２１は、該軸回転接合ソケット１１の軸耳部１１１両側に挟み設けられ、該少なくとも１つの固定接合部材１７を利用し、該軸耳部１１１及び該軸孔１１２，１２２柱に貫通固定し、該軸回転接合ソケット１１及び軸回転接合片体１２に該固定接合部材１７を回転軸心として利用し、相対軸回転動作をさせる。
【００１６】
該軸回転接合片体１２の載置孔１２３は、該軸回転接合片体１２が２つの挟持耳部１２１を貫通設置する該端部に設置され、且つ好ましくは、該２つの挟持耳部１２１の間に配置され、該軸回転接合ソケット１１の展開嵌合孔１１３又は折り畳み嵌合孔１１４の方向に向けられる。該載置孔１２３は、好ましくは、該軸回転接合片体１２の軸回転動作を経由してそれぞれ該軸回転接合ソケット１１の展開嵌合孔１１３及び折り畳み嵌合孔１１４と相互に対応する位置に設けられ、且つ該弾性体１４は、該ピン１３を該軸回転接合ソケット１１の軸耳部１１１の方向に向かって押し上げ、該ピン１３の一端を該展開嵌合孔１１３又は折り畳み嵌合孔１１４内に嵌合させることができる。本考案の一実施例において、該弾性体は、バネである。
【００１７】
図２及び図３に示すように、該軸回転接合片体１２外表面は、少なくとも１つの長溝孔１２４を設け、好ましくは、該軸回転接合片体１２外表面の両相対側にそれぞれ長溝孔１２４を設け、該２つの長溝孔１２４は、該ピン１３の行程方向に沿って延伸設置され、それぞれ貫通し、該載置孔１２３に連通し、該２つの孔溝孔１２４は、該レバー１５を穿合させることができ、該ピン１３は、該レバー１５を貫通させることができる穿合孔１３１を相対して設ける。
該レバー１５は、該穿合孔１３１及び該２つの長溝孔１２４を貫通した後、該レバー１５の両端は、それぞれ該軸回転接合片体１２の外表面に突出する。また、該レバー１５は、ロッド１５１及び２つの凸体１５２を選択的に含むことができ、該ロッド１５１は、該ピン１３の穿合孔１３１を貫通するものであり、該２つの凸体１５２は、それぞれ該２つの孔溝孔１２４を経由して穿合し、それぞれ該ロッド１５１の両端に固定され、且つ該２つの凸体１５２の外径は、好ましくは、該穿合孔１３１の孔径より大きく、これにより、該２つの凸体１５２に該ロッド１５１を該ピン１３の所定位置に挟み固定させることができる。
【００１８】
図２及び図４に示すように、該固定部材１６の環部１６１は、切り口１６２を形成し、且つ該環部１６１の切り口１６２両端にそれぞれ外向きに耳部１６３を延伸し、該２つの耳部１６３の間に適当な間隔を形成させ、また、該２つの耳部１６３の間に締結部材を設け、締結部材により該２つの耳部１６３の間の間隔の大きさを調整することができる。
該締結部材は、該２つの耳部１６３上に軸桿１６４を共同貫通設置し、該軸桿１６４のそのうちの一端は、ねじ山１６５を螺合し、他端側は、軸回転柄１６６を軸回転可能に設け、該軸回転柄１６６の該軸桿１６４と軸回転可能に接続する該端に大径部及び小径部を形成する。
これにより、該軸回転柄１６４は、該大径部をそのうちの耳部１６３に係止する時、該２つの耳部１６３の間の間隔を縮小するよう押し上げて圧迫することができ、該環部１６１の内径を連帯して縮小させ、締結状態を呈するようにさせ、該軸回転柄１６６を回転させ、該小径部に該耳部１６３を推し上げさせる時、図５に示すように、該２つの耳部１６３の間の間隔が大きくなり、該環部１６１の内径を増加させ、ゆるい状態を呈するようにする。
図２、図３及び図６に示すように、本考案の安全折り畳み機構１を取り付ける時、該弾性体１４及びピン１３は、順に該載置孔１２３内に置かれ、該レバー１５は、該ピン１３の穿合孔１３１及び該軸回転接合片体１２の２つの長溝孔１２４を貫通し、且つ該レバー１５の両端は、それぞれ該軸回転接合片体１２の外表面に突出する。該固定部材１６は、その環部１６１により、該軸回転接合片体１２外周に被さる。
該軸回転接合片体１２の２つの挟持耳部１２１は、該軸回転接合ソケット１１の軸耳部１１１両側に挟み設けられ、固定部材１７により該軸耳部１１１及び該２つの挟持耳部１２１の軸孔１１２，１２２に軸回転可能に接合され、該軸回転接合ソケット１１及び軸回転接合片体１２に該固定部材１７を回転中心として利用させ相対回転動作をさせることができる。
また、該ピン１３がそれぞれ該軸回転接合ソケット１１の展開嵌合孔１１３又は折り畳み嵌合孔１１４に嵌合する時、該軸回転接合片体１２の２つの挟持耳部１２１の少なくとも１つの辺縁は、該軸回転接合ソケット１１の嵌合溝１１５の少なくとも１つの辺縁に位置合わせされる。
【００１９】
該図６に示すように、本考案の安全折り畳み機構１の操作時、該軸回転接合ソケット１１及び軸回転接合片体１２が連結した状態の下、該固定部材１６の環部１６１は、該軸回転接合片体１２外周に被さり、同時に該嵌合溝１１５に係止され、且つ該ピン１３は、該男性体１４の押し上げを受け、該軸耳部１１１の展開嵌合孔１１３柱に嵌合される。
該２つの挟持耳部１２１の少なくとも１つの辺縁は、該嵌合溝１５の少なくとも１つの辺縁に対応するので、該固定部材１６の環部１６１が該軸回転接合片体１２外周に被せられ、同時に該嵌合溝１１５に係止される時、該軸回転柄１６６を経由し、該固定部材１６に締結状態を呈させ、同時に該軸回転接合ソケット１１の軸耳部１１１及び軸回転接合片体１２の２つの挟持耳部１２１の間に締結され、即ち、該軸回転接合片体１２が該軸回転接合ソケット１１に対して相対する回転動作を発生することができないように制限し、該キックボード２の横ポール２２が予期せぬ状況で不意に折り畳まれることを回避し、好適な騎乗安全性を備える。
【００２０】
図７に示すように、該軸回転接合ソケット１１及び軸回転接合片体１２を折り畳む時、該軸回転柄１６６を経由し、該固定部材１６に緩んだ状態を呈させ、該固定部材１６を該レバー１５の方向に向けて推移し、同時に該固定部材１６の側面を介して該レバー１５を押し上げ、該軸耳部１１１から離れる方向に移動させることができる。
この時、該固定部材１６は、該嵌合溝１１５に係止された状態から離脱し、且つ同時に該ピン１３を連動して該展開嵌合溝１１３から離脱させ、該軸回転接合片体１２が該軸回転接合ソケット１１に相対して回転することができる。
更に、該レバー１５は、該軸耳部１１１から離れる方向に移動した後、該軸回転柄１６６を経由し、該固定部材１６に締結状態を呈させ、該固定部材１６は、該レバー１５を支持し、該軸回転接合片体１２の固定位置に固定することができ、該ピン１３を該載置孔１２３中に確実に定位し、該ピンが該載置孔１２３に突出せず、該軸回転接合片体１２の折り畳み過程で、該軸耳部１１１に対して摩擦又は干渉を起こすことを回避する。
【００２１】
軸回転接合片体１２は、該軸回転接合ソケット体１１に相対して回転し、該載置孔１２３を該折り畳み嵌合孔１１４と位置合わせした後、該軸回転柄１６６を経由して該固定部材１６に緩んだ状態を呈させ、該固定部材１６を該レバー１５から離れる方向に推移することができ、該レバー１５は、該固定部材１６の阻止を受けないことにより、該弾性体１４の回復力を利用し、該ピン１３を移動し該折り畳み嵌合孔１１４に嵌合することができ、折り畳み導を完成する。
図８に示すように、この時、該固定部材１６の環部１６１を該軸回転接合片体１２外周に被せ、同時に該嵌合溝１１５に係止させ、且つ該回転軸柄１６６を経由し、該固定部材１６に締結状態を呈させ、該軸回転接合片体１２が該軸回転接合ソケット１１に対して相対した回転動作を発生することができないように制限することができ、該軸回転接合片体１２を折り畳み後の形態に確実に定位することができ、収納又は携帯に便利である。
【００２２】
上記のように、本考案のピン１３が該展開嵌合孔１１３に嵌合する時、該固定部材１６の環部１６１は、該軸回転片体１２外周を締結し、同時に該軸回転接合ソケット１１の嵌合溝１１５に係止し、該軸回転接合片体１２が該軸回転接合ソケット１１に対して相対した回転動作を発生することができないように制限することができ、該キックボード２の横ポール２２が不意な状況で折り畳まれることを回避し、好適な騎乗安全性を達成する。
【００２３】
本考案のピン１３は、該折り畳み嵌合孔１１４を嵌合する時、該固定部材１６の環部１６１は、該軸回転接合片体１２外周に締結され、同時に該軸回転接合ソケット１１の嵌合溝１１５に係止し、該軸回転接合片体１２が該軸回転接合ソケット１１に対して相対した回転動作を発生することができないように制限することができ、該軸回転接合片体１２を折り畳み後の形態に確実に固定することができ、収納又は携帯に便利である。
【００２４】
本考案の固定部材１６は、従来の構造ピンが緩む欠陥を改善することができ、好適な安全性及び固定効果を有し、該ピン１３をはじき動かし、省力の効果を得ることができる。
【００２５】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができる。
【符号の説明】
【００２６】
１      安全折り畳み機構
１１    軸回転接合ソケット
１１１  軸耳部
１１２  軸孔
１１３  展開嵌合孔
１１４  折り畳み嵌合孔
１１５  嵌合溝
１２    軸回転接合片体
１２１  挟持耳部
１２２  軸孔
１２３  載置孔
１２４  長溝孔
１３    ピン
１３１  穿合孔
１４    弾性体
１５    レバー
１５１  ロッド
１５２  凸体
１６    固定部材
１６１  環部
１６２  切り口
１６３  耳部
１６４  軸桿
１６５  ねじ山
１６６  軸回転柄
１７    固定接合部材
２      キックボード
２１    ポール
２２    横ポール
２３    把手
２４    前輪
２５    踏み板
２６    後輪
【図１】
0003158161.tif 000003
【図２】
0003158161.tif 000004
【図３】
0003158161.tif 000005
【図４】
0003158161.tif 000006
【図５】
0003158161.tif 000007
【図６】
0003158161.tif 000008
【図７】
0003158161.tif 000009
【図８】
0003158161.tif 000010